(57)【要約】【課題】  ユーザ毎（出力装置毎）のレジューム再生機能を適切に実現することが可能な「デジタルネットワークを用いたデータ再生システムおよびデータ再生方法、レジューム再生制御装置」を提供する。【解決手段】  複数の出力装置６，７で同じＡＶソースの視聴が指示されたときに、コントローラ１７が、メモリ１９に出力装置毎に記憶されている視聴停止位置情報の中から何れか一の視聴停止位置情報を選択し、選択した視聴停止位置情報に基づいてＡＶソースの再生開始を制御することにより、複数の出力装置６，７で同じＡＶソースの視聴を再開することが指示され、それぞれの前回視聴停止位置が全く異なっているときでも、コントローラ１７が適切に調停を行ってレジューム再生をすることができるようにする。【選択図】        図１
2006109329.tif 000002
【特許請求の範囲】
【請求項１】
１以上のソース機器と複数の出力装置とがデジタルネットワークを介して接続され、１つの音声／映像ソースを再生して上記複数の出力装置で同時に視聴可能なように成されたデータ再生システムであって、
上記音声／映像ソースの視聴を停止したときの停止位置情報を上記複数の出力装置毎に記憶媒体に記録する記録手段と、
上記１以上のソース機器における音声／映像ソースの再生処理および再生された音声／映像ソースの上記複数の出力装置への出力処理を含むシステム全体の制御を行い、上記記憶媒体に記憶されている出力装置毎の視聴停止位置情報に基づいて、それぞれの出力装置に対応した前回停止位置より上記音声／映像ソースの再生を開始するように制御する制御手段とを備え、
上記制御手段は、複数の出力装置で同じ音声／映像ソースの視聴を再開することが指示されたときに、どの出力装置の視聴停止位置情報に基づいて音声／映像ソースの再生を開始するかの調停を行うことを特徴とするデジタルネットワークを用いたデータ再生システム。
【請求項２】
上記制御手段は、同じ音声／映像ソースの視聴を再開することが指示された複数の出力装置に対応する複数の視聴停止位置情報のうち、最初からの経過時間が最も短い視聴停止位置情報を選択し、選択した視聴停止位置情報に基づいて音声／映像ソースの再生を開始することを特徴とする請求項１に記載のデジタルネットワークを用いたデータ再生システム。
【請求項３】
上記制御手段によって選択されなかった視聴停止位置情報に基づく位置まで上記同じ音声／映像ソースが再生されたときに、上記選択されなかった視聴停止位置情報に対応する出力装置において上記同じ音声／映像ソースが視聴されていなかった場合に、上記選択されなかった視聴停止位置情報に基づく位置まで再生されたことを報知する報知手段を備えたことを特徴とする請求項２に記載のデジタルネットワークを用いたデータ再生システム。
【請求項４】
上記制御手段は、選択しなかった視聴停止位置情報に基づく位置まで上記同じ音声／映像ソースが再生されたときに、上記選択しなかった視聴停止位置情報に対応する出力装置において上記同じ音声／映像ソースが視聴されていなかった場合に、上記選択しなかった視聴停止位置情報に対応する出力装置に上記同じ音声／映像ソースを出力するように制御することを特徴とする請求項２に記載のデジタルネットワークを用いたデータ再生システム。
【請求項５】
１以上のソース機器と複数の出力装置とがデジタルネットワークを介して接続され、１つの音声／映像ソースを再生して上記複数の出力装置で同時に視聴可能なように成されたシステムにおけるデータ再生方法であって、
制御手段が、複数の出力装置で同じ音声／映像ソースの視聴を再開することが指示されたか否かを判断する第１のステップと、
上記制御手段が、上記複数の出力装置で同じ音声／映像ソースの視聴を再開することが指示されたと判断したときに、それら複数の出力装置毎に記憶媒体に記憶されている複数の視聴停止位置情報の中から何れか一の視聴停止位置情報を選択し、選択した視聴停止位置情報に基づいて音声／映像ソースの再生を開始する第２のステップとを有することを特徴とするデジタルネットワークを用いたデータ再生方法。
【請求項６】
上記制御手段が、選択されなかった視聴停止位置情報に基づく位置まで上記同じ音声／映像ソースが再生されたときに、上記選択されなかった視聴停止位置情報に対応する出力装置において上記同じ音声／映像ソースが視聴されているか否かを判断する第３のステップと、
上記選択されなかった視聴停止位置情報に基づく位置まで上記同じ音声／映像ソースが再生されたときに、上記選択されなかった視聴停止位置情報に対応する出力装置において上記同じ音声／映像ソースが視聴されていなかった場合に、報知手段が、上記選択されなかった視聴停止位置情報に基づく位置まで再生されたことを報知する第４のステップとを有することを特徴とする請求項５に記載のデジタルネットワークを用いたデータ再生方法。
【請求項７】
上記制御手段が、選択されなかった視聴停止位置情報に基づく位置まで上記同じ音声／映像ソースが再生されたときに、上記選択されなかった視聴停止位置情報に対応する出力装置において上記同じ音声／映像ソースが視聴されているか否かを判断する第３のステップと、
上記選択されなかった視聴停止位置情報に基づく位置まで上記同じ音声／映像ソースが再生されたときに、上記選択されなかった視聴停止位置情報に対応する出力装置において上記同じ音声／映像ソースが視聴されていなかった場合に、上記制御手段が、上記選択されなかった視聴停止位置情報に対応する出力装置に上記同じ音声／映像ソースを出力するように制御する第４のステップとを有することを特徴とする請求項５に記載のデジタルネットワークを用いたデータ再生方法。
【請求項８】
音声／映像ソースの視聴を停止したときの停止位置情報を複数の出力装置毎に記憶媒体に記録する記録手段と、
１以上のソース機器における音声／映像ソースの再生処理および再生された音声／映像ソースの上記複数の出力装置への出力処理を含む制御を行い、上記記憶媒体に記憶されている出力装置毎の視聴停止位置情報に基づいて、それぞれの出力装置に対応した前回停止位置より上記音声／映像ソースの再生を開始するように制御する制御手段とを備え、
上記制御手段は、複数の出力装置で同じ音声／映像ソースの視聴を再開することが指示されたときに、どの出力装置の視聴停止位置情報に基づいて音声／映像ソースの再生を開始するかの調停を行うことを特徴とするレジューム再生制御装置。
【発明の詳細な説明】
【技術分野】
【０００１】
本発明は、デジタルネットワークを用いたデータ再生システムおよびデータ再生方法、レジューム再生制御装置に関し、特に、１以上のＡＶ（Audio Visual）ソース機器と複数の出力装置とをデジタルネットワークで接続して、当該複数の出力装置で任意の音声／映像ソース（ＡＶソース）の視聴を行うことができるように成されたシステムに用いて好適なものである。
【背景技術】
【０００２】
従来、１以上のＡＶソース機器と複数の出力装置（モニタやヘッドホンなど）とをデジタルネットワークで接続し、当該複数の出力装置で任意のＡＶソースの視聴を行うことができるように成されたデータ再生システムが提供されている。その代表例として、複数のモニタと複数のヘッドホンとを車両の後部座席に設置し、テレビやＤＶＤ（Digital Versatile Disk）、ＣＤ（Compact Disc）等のＡＶソースを再生して後部座席の搭乗者が楽しめるようにしたリアエンタテイメントシステムがある。
【０００３】
この種のデータ再生システムでは、それぞれのモニタにリモコン信号受信用の赤外線受光部が搭載されており、ユーザがそれぞれのモニタに向けてリモコンを操作することによって、個々のユーザ毎に所望のＡＶソースを選択して視聴することができるようになっている。このとき、複数のユーザがそれぞれの出力装置で互いに異なるＡＶソースを視聴することも可能であるし、同じＡＶソースを視聴することも可能である。
【０００４】
一方、ＣＤやＤＶＤ等のディスクメディアからＡＶソースを再生する際に、再生を停止したときのディスク上の停止位置を記憶しておき、次回の再生の際はその停止位置より再生を開始するという、いわゆるレジューム機能を備えた再生装置が存在する（例えば、特許文献１参照）。
【特許文献１】特開２００４−６２９３１号公報
【０００５】
上述のリアエンタテイメントシステムに代表されるようなデジタルネットワークを用いたデータ再生システムでは、個々のユーザ毎に再生を停止する位置が異なり得るため、再生停止位置をユーザ毎に記憶する必要がある。上記特許文献１には、再生停止位置をユーザ毎に記憶し、ユーザ名とパスワードとを入力して再生することにより、１つのディスクを複数のユーザが再生する場合にも各ユーザの再生停止位置から再生を開始できるようにすることが開示されている。
【発明の開示】
【発明が解決しようとする課題】
【０００６】
しかしながら、特許文献１に開示されているのはビデオカメラであり、モニタは１つしか備えられていない。したがって、複数のユーザが同じディスクを複数のモニタで同時に視聴するということはあり得ない。これに対して、複数の出力装置を備えたリアエンタテイメントシステム等では、複数のユーザが同じディスクを複数の出力装置で視聴し、それぞれが任意の位置で視聴を停止した後、それぞれが任意のタイミングで同じディスクの視聴を再開するということがあり得る。上述の特許文献１は、このような複雑な環境下でレジューム再生をどのようにして行うかについては全く教示していない。
【０００７】
本発明は、このような実情に鑑みて成されたものであり、１以上のＡＶソース機器と複数の出力装置とをデジタルネットワークを介して接続して成るデータ再生システムにおいて、ユーザ毎（出力装置毎）のレジューム再生機能を適切に実現できるようにすることを目的とする。
【課題を解決するための手段】
【０００８】
上記した課題を解決するために、本発明では、複数の出力装置で同じＡＶソースの視聴を再開することが指示されたときに、どの出力装置の視聴停止位置情報に基づいてＡＶソースの再生を開始するかの調停を行い、同じＡＶソースの視聴を再開することが指示された複数の出力装置に対応する複数の視聴停止位置情報の中から何れか一の視聴停止位置情報を選択し、選択した視聴停止位置情報に基づいてＡＶソースの再生を開始するようにしている。
【０００９】
本発明の他の態様では、選択されなかった視聴停止位置情報に基づく位置までＡＶソースが再生されたときに、選択されなかった視聴停止位置情報に対応する出力装置において同じＡＶソースが視聴されていなかった場合に、選択されなかった視聴停止位置情報に基づく位置まで再生されたことを報知したり、選択されなかった視聴停止位置情報に対応する出力装置に同じＡＶソースを出力するように制御したりするようにしている。
【発明の効果】
【００１０】
上記のように構成した本発明によれば、複数の出力装置で異なるＡＶソースの視聴を再開することが指示されたときは、記憶媒体に出力装置毎に記憶されている視聴停止位置情報に基づいて、それぞれのＡＶソースの前回停止位置から再生を開始することができる。一方、複数の出力装置で同じＡＶソースの視聴を再開することが指示されたときは、どの出力装置の視聴停止位置情報に基づいてＡＶソースの再生を開始するかの調停が行われ、何れか一の視聴停止位置情報に基づいてＡＶソースの再生が開始される。これにより、同じＡＶソースの視聴を再開することが指示された複数の出力装置における前回視聴停止位置がそれぞれ異なっている場合でも、何れかを選択して適切にレジューム再生することができる。
【００１１】
上記のように何れか一の出力装置に対応する視聴停止位置情報を選択してＡＶソースの再生を開始すると、他の出力装置では、本来の前回視聴停止位置とは異なる位置からＡＶソースの再生が開始されることになる。その再生部分が前回既に視聴した部分であれば、当該他の出力装置を使用しているユーザは、他のＡＶソースの視聴に切り替えるかもしれない。このような場合でも、本発明の他の特徴によれば、当該他の出力装置にとって本来の前回視聴停止位置までＡＶソースの再生が行われると、その旨が報知され、または、それまで視聴していた他のＡＶソースから自動的に切り替えられて他の出力装置に出力されることになる。これにより、同じＡＶソースの視聴を再開することが指示された複数の出力装置における前回視聴停止位置がそれぞれ異なっている場合でも、どの出力装置のユーザも自分に合った前回視聴停止位置から視聴を再開することができる。
【発明を実施するための最良の形態】
【００１２】
以下、本発明の一実施形態を図面に基づいて説明する。図１は、本実施形態によるデジタルネットワークを用いたデータ再生システムの要部構成例を示す図である。ここでは、データ再生システムの一例として、車載用のリアエンタテイメントシステムを示している。
【００１３】
図１において、１はＣＤを再生する第１のＣＤプレーヤ、２はＣＤを再生する第２のＣＤプレーヤ、３はＤＶＤを再生する第１のＤＶＤプレーヤ、４はＤＶＤを再生する第２のＤＶＤプレーヤである。これらのＣＤプレーヤ１，２およびＤＶＤプレーヤ３，４は、本発明のソース機器に相当する。
【００１４】
なお、多くのリアエンタテイメントシステムは、ＣＤプレーヤやＤＶＤプレーヤの他に、ＡＭ／ＦＭ放送を受信して再生するラジオチューナ、テレビ放送を受信して再生するテレビチューナなどを備えている。しかし、本実施形態はディスクメディアのレジューム再生機能に関するものであるので、ディスクメディアに関係のないＡＶソース機器は図示を省略している。
【００１５】
５は車両の前部座席付近に設けられる左右のフロントスピーカ、６は後部座席左側（左側前部座席の裏側）に設けられるＬリア・ディスプレイ、７は後部座席右側（右側前部座席の裏側）に設けられるＲリア・ディスプレイである。これらのフロントスピーカ５、Ｌリア・ディスプレイ６およびＲリア・ディスプレイ７は、本発明の出力装置に相当する。
【００１６】
Ｌリア・ディスプレイ６は、音声を出力するスピーカ６ａ、映像を表示するモニタ部６ｂ、リモコン８から各種の操作コードを赤外線により受信する赤外線受光部６ｃ、イヤホンやヘッドホンを装着可能なイヤホンジャック６ｄを備えている。Ｒリア・ディスプレイ７も同様に、音声を出力するスピーカ７ａ、映像を表示するモニタ部７ｂ、リモコン８から各種の操作コードを赤外線により受信する赤外線受光部７ｃ、イヤホンやヘッドホンを装着可能なイヤホンジャック７ｄを備えている。
【００１７】
１０は本発明のレジューム再生制御装置に相当するセンターユニットであり、ＣＤプレーヤ１，２やＤＶＤプレーヤ３，４などのＡＶソース機器とデジタルネットワークを介して接続されており、これらのＡＶソース機器から音声ソース信号および映像ソース信号を入力する。また、センターユニット１０は、フロントスピーカ５、Ｌリア・ディスプレイ６、Ｒリア・ディスプレイ７などの出力装置とデジタルネットワークを介して接続されており、各種ＡＶソースの中から選択して処理した音声信号および映像信号を出力装置に出力する。
【００１８】
センターユニット１０の内部構成において、１１はフロントスピーカ用セレクタであり、音声ソースセレクタ１１ａを備えている。この音声ソースセレクタ１１ａは、第１のＣＤ，第２のＣＤ，第１のＤＶＤ，第２のＤＶＤの各種音声ソース信号を入力し、後述するコントローラ１７の制御に従って何れかの音声ソース信号を選択して出力する。
【００１９】
１２はＬリア・ディスプレイ用セレクタであり、音声ソースセレクタ１２ａおよび映像ソースセレクタ１２ｂを備えている。音声ソースセレクタ１２ａは、第１のＣＤ，第２のＣＤ，第１のＤＶＤ，第２のＤＶＤの各種音声ソース信号を入力し、コントローラ１７の制御に従って何れかの音声ソース信号を選択して出力する。映像ソースセレクタ１２ｂは、第１のＤＶＤ，第２のＤＶＤの各種映像ソース信号を入力し、コントローラ１７の制御に従って何れかの映像ソース信号を選択して出力する。ここで選択する音声ソース信号と映像ソース信号は同種類のもの（１つのＡＶソース機器から再生されたもの）である。
【００２０】
１３はＲリア・ディスプレイ用セレクタであり、音声ソースセレクタ１３ａおよび映像ソースセレクタ１３ｂを備えている。音声ソースセレクタ１３ａは、第１のＣＤ，第２のＣＤ，第１のＤＶＤ，第２のＤＶＤの各種音声ソース信号を入力し、コントローラ１７の制御に従って何れかの音声ソース信号を選択して出力する。映像ソースセレクタ１３ｂは、第１のＤＶＤ，第２のＤＶＤの各種映像ソース信号を入力し、コントローラ１７の制御に従って何れかの映像ソース信号を選択して出力する。ここで選択する音声ソース信号と映像ソース信号は同種類のもの（１つのＡＶソース機器から再生されたもの）である。
【００２１】
１４はフロントスピーカ用信号処理部であり、コントローラ１７の制御に従って、音声ソースセレクタ１１ａにより選択された音声ソース信号に対して所定の信号処理を行う。この信号処理部１４により処理された音声ソース信号は、フロントスピーカ５より出力される。
【００２２】
１５はＬリア・ディスプレイ用信号処理部であり、コントローラ１７の制御に従って、音声ソースセレクタ１２ａにより選択された音声ソース信号に対して所定の信号処理を行うとともに、映像ソースセレクタ１２ｂにより選択された映像ソース信号に対して所定の信号処理を行う。この信号処理部１５により処理された音声ソース信号はＬリア・ディスプレイ６のスピーカ６ａまたはイヤホンジャック６ｄより出力され、映像ソース信号はＬリア・ディスプレイ６のモニタ部６ｂに出力される。
【００２３】
１６はＲリア・ディスプレイ用信号処理部であり、コントローラ１７の制御に従って、音声ソースセレクタ１３ａにより選択された音声ソース信号に対して所定の信号処理を行うとともに、映像ソースセレクタ１３ｂにより選択された映像ソース信号に対して所定の信号処理を行う。この信号処理部１６により処理された音声ソース信号はＲリア・ディスプレイ７のスピーカ７ａまたはイヤホンジャック７ｄより出力され、映像ソース信号はＲリア・ディスプレイ７のモニタ部７ｂに出力される。
【００２４】
１８は操作部であり、センターユニット１０に関する各種操作を行うための操作キーを備えている。例えば、電源のオン／オフ操作を行うための電源キー、入力ソース信号の選択操作を行うためのソース選択キーなどを備えている。前部座席に座っている搭乗者がＡＶソースの選択を行うときは、この操作部１８を使用する。上述したリモコン８も、入力ソース信号の選択操作を行うためのソース選択キーなどを備えている。後部座席に座っている搭乗者がＡＶソースの選択を行うときは、このリモコン８を使用する。
【００２５】
コントローラ１７は、各ＡＶソース機器１〜４におけるＡＶソースの再生処理および再生されたＡＶソースの各出力装置５〜７への出力処理を含むシステム全体の制御を行うものであり、本発明の制御手段に相当する。具体的には、コントローラ１７は、各ＡＶソース機器１〜４の中から操作部１８およびリモコン８のソース選択キーの操作によって選択されたＡＶソース機器を動作させるように制御する。
【００２６】
また、コントローラ１７は、選択された各ＡＶソース機器から出力されるＡＶソース信号を選択するように、フロントスピーカ用セレクタ１１、Ｌリア・ディスプレイ用セレクタ１２、Ｒリア・ディスプレイ用セレクタ１３を制御する。このとき、各セレクタ１１〜１３においてそれぞれ独立して任意のＡＶソース信号を選択することが可能である。複数のセレクタで互いに異なるＡＶソース信号を選択することも可能であるし、同じＡＶソース信号を選択することも可能である。また、コントローラ１７は、各信号処理部１４〜１６の動作を制御する。
【００２７】
さらに、コントローラ１７は、各ＡＶソース機器１〜４のレジューム再生機能に関する制御も実行する。具体的には、コントローラ１７は、それぞれの出力装置５〜７でＡＶソースの視聴を停止したときの停止位置情報を、複数の出力装置５〜７毎にメモリ１９に記録する。この視聴停止位置情報は、コントローラ１７がリモコン８や操作部１８から停止指示の信号を受けたときに、コントローラ１７が各ＡＶソース機器１〜４から取得することが可能である。このようにコントローラ１７は、本発明の記録手段も構成する。そして、次回の視聴開始時に、コントローラ１７は、メモリ１９に記憶されている視聴停止位置情報に基づいて、それぞれの出力装置５〜７に対応した前回の視聴停止位置よりＡＶソースの再生を開始するように制御する。
【００２８】
メモリ１９は、出力装置５〜７毎に視聴停止位置情報を記憶して管理するためのレジュームテーブル１９ａを有している。図２は、このレジュームテーブル１９ａの構成例を示す図である。図２に示すように、レジュームテーブル１９ａは、フロントスピーカ５、Ｌリア・ディスプレイ６、Ｒリア・ディスプレイ７の出力装置毎に、ディスクＩＤと、ディスクメディアのタイトル情報と、前回視聴を停止したときにおける再生位置に相当する時間情報およびアドレス情報とから成る視聴停止位置情報を記憶している。なお、ディスクＩＤは、各ディスクメディアに固有のＩＤであり、ディスクメディアのリードイン領域に記憶された管理情報に含まれている。タイトル情報も、この管理情報に含まれている。
【００２９】
図２に示すレジュームテーブル１９ａの例では、フロントスピーカ５に対してディスクＩＤ＝＃Ａのディスクメディア（例えば、第１のＣＤプレーヤ１に挿入されたＣＤ＃Ａ）が選択され、そのＡＶソースの視聴を開始してから１０分が経過したときに視聴を停止したことが示されている。また、Ｌリア・ディスプレイ６とＲリア・ディスプレイ７に対して同じディスクＩＤ＝＃Ｂのディスクメディア（例えば、第１のＤＶＤプレーヤ３に挿入されたＤＶＤ＃Ｂ）が選択され、そのＡＶソースの視聴を開始してから１８分が経過したときにＲリア・ディスプレイ７で視聴を停止し、２５分が経過したときにＬリア・ディスプレイ６で視聴を停止したことが示されている。
【００３０】
なお、１つのＡＶソースが１つの出力装置のみで選択されている場合、ＡＶソースの視聴停止は、対応するＡＶソース機器の再生停止を意味する。図２の例によれば、ＣＤ＃ＡのＡＶソースはフロントスピーカ５に対してのみ出力されているので、フロントスピーカ５でＣＤ＃Ａの視聴を停止するということは、第１のＣＤプレーヤ１の再生動作を停止することを意味する。コントローラ１７は、操作部１８の再生停止ボタンが押されたときに、その停止の指示されたＡＶソースが他の出力装置にも出力されていないかどうかを判定し、出力されていなければ、対応するＡＶソース機器の再生動作を停止するように制御する。
【００３１】
一方、１つのＡＶソースが複数の出力装置で選択されている場合、ＡＶソースの視聴停止は、対応するＡＶソース機器の再生停止を直ちに意味するものではない。すなわち、図２の例によれば、ＤＶＤ＃ＢのＡＶソースはＬリア・ディスプレイ６とＲリア・ディスプレイ７との両方に対して出力されている。したがって、リモコン８の再生停止ボタンを操作することによって最初にＲリア・ディスプレイ７でＤＶＤ＃Ｂの視聴停止が指示されても、第１のＤＶＤプレーヤ３の再生動作は停止せず、ＤＶＤ＃Ｂの再生自体は継続する必要がある。この場合にコントローラ１７は、Ｒリア・ディスプレイ用セレクタ１３を制御することにより、ＤＶＤ＃Ｂの再生信号をＲリア・ディスプレイ７には出力しないようにする。
【００３２】
その後、リモコン８の再生停止ボタンを操作することによってＬリア・ディスプレイ６でもＤＶＤ＃Ｂの視聴停止が指示されたときは、コントローラ１７は、第１のＤＶＤプレーヤ３の再生動作を停止するように制御する。すなわち、コントローラ１７は、リモコン８の再生停止ボタンが押されたときに、その停止の指示されたＡＶソースが他の出力装置にも出力されていないかどうかを判定し、出力されていれば、Ｌリア・ディスプレイ用セレクタ１２またはＲリア・ディスプレイ用セレクタ１３を制御してＡＶソース信号の出力を停止する。また、停止の指示されたＡＶソースが他の出力装置に出力されていなければ、対応するＡＶソース機器の再生動作を停止するように制御する。
【００３３】
このように、図２の例によれば、Ｌリア・ディスプレイ６とＲリア・ディスプレイ７との両方で同じＤＶＤ＃Ｂが視聴され、それぞれ異なるタイミングで視聴が停止されている。その後、Ｌリア・ディスプレイ６とＲリア・ディスプレイ７との両方で、同じＤＶＤ＃Ｂを再び視聴することが可能である。この場合に、コントローラ１７は、図２のように記憶されている視聴停止位置情報に基づいて、レジューム再生の制御を実行する。このように複数の出力装置で同じＡＶソースの視聴を再開することが指示されたときに、コントローラ１７は、どの出力装置の視聴停止位置情報に基づいてＡＶソースの再生を開始するかの調停を行う。
【００３４】
例えば、複数の出力装置で同じＡＶソースの視聴を再開することがほぼ同時に指示された場合は、コントローラ１７は、それら複数の出力装置に対応する複数の視聴停止位置情報のうち、最初からの経過時間が最も短い視聴停止位置情報を選択し、選択した視聴停止位置情報に基づいてＡＶソースの再生を開始するようにＡＶソース機器を制御する。図２の例では、Ｒリア・ディスプレイ７の方がＬリア・ディスプレイ６よりも最初からの経過時間が短いところで視聴を停止しているので、Ｒリア・ディスプレイ７の視聴停止位置情報に基づいてＤＶＤ＃Ｂの再生を開始するように第１のＤＶＤプレーヤ３を制御する。
【００３５】
ただし、これだけでは、Ｌリア・ディスプレイ６のユーザに対しては不親切な結果となってしまう。Ｌリア・ディスプレイ６のユーザにとって、Ｒリア・ディスプレイ７の視聴停止位置情報に基づいて再生される部分は既に視聴した部分であるから、他のＡＶソースに切り替えて視聴を開始するかもしれない。ただ、それはあくまでも時間つぶしの視聴であって、自分が前回視聴を停止した場所まで再生が進んできたら、そこからＤＶＤ＃Ｂを視聴したいと考えているかもしれない。
【００３６】
そこで、コントローラ１７は、レジューム再生の際に選択されなかったＬリア・ディスプレイ６の視聴停止位置情報に基づく位置までＤＶＤ＃Ｂが再生されたかどうかを監視する。そして、その位置まで再生が進んできたときに、Ｌリア・ディスプレイ６においてＤＶＤ＃Ｂが視聴されているか否かをチェックする。これは、Ｌリア・ディスプレイ用セレクタ１２においてＤＶＤ＃Ｂのソース信号が選択されているかどうかによって判定することができる。
【００３７】
ここで、Ｌリア・ディスプレイ６にてＲリア・ディスプレイ７と同じＤＶＤ＃Ｂが視聴されていなかった場合には、Ｌリア・ディスプレイ６の視聴停止位置情報に基づく位置までＤＶＤ＃Ｂが再生されたことを報知する。例えば、Ｌリア・ディスプレイ６のモニタ部６ｂに文字情報でメッセージを出力したり、スピーカ６ａやイヤホンジャック６ｄから音声情報でメッセージを出力したりすることが可能である。この場合、コントローラ１７は、本発明の報知手段を構成する。
【００３８】
また、コントローラ１７は、レジューム再生の際に選択されなかったＬリア・ディスプレイ６の視聴停止位置情報に基づく位置までＲリア・ディスプレイ７と同じＤＶＤ＃Ｂが再生されたときに、Ｌリア・ディスプレイ６において同じＤＶＤ＃Ｂが視聴されていなかった場合に、Ｌリア・ディスプレイ用セレクタ１２を制御して、ＤＶＤ＃Ｂのソース信号をＬリア・ディスプレイ６に出力するように自動的に切り替えるようにしても良い。
【００３９】
さらに、複数の出力装置で同じＡＶソースの視聴を再開することが時簡差を持って指示された場合は、コントローラ１７は、それら複数の出力装置に対応する複数の視聴停止位置情報のうち、最初に指示された出力装置に対応する視聴停止位置情報を選択し、選択した視聴停止位置情報に基づいてＡＶソースの再生を開始するようにＡＶソース機器を制御する。例えば、Ｌリア・ディスプレイ６の方が最初に視聴開始を指示したのであれば、Ｌリア・ディスプレイ６の視聴停止位置情報に基づいてＡＶソースの再生を開始し、Ｒリア・ディスプレイ７の方が最初に視聴開始を指示したのであれば、Ｒリア・ディスプレイ７の視聴停止位置情報に基づいてＡＶソースの再生を開始するようにＡＶソース機器を制御する。
【００４０】
ただし、後から指示された方の視聴停止位置情報が、最初に指示された方の視聴停止位置情報よりも最初からの経過時間が短い場合は、後から指示したユーザは途中の部分を視聴することができなくなってしまう。例えば、図２の例で、Ｌリア・ディスプレイ６の方がＲリア・ディスプレイ７よりも先に視聴開始を指示したとすると、Ｌリア・ディスプレイ６の視聴停止位置情報に基づいて、最初からの経過時間が２５分のところからＤＶＤ＃Ｂの再生が開始されることになる。したがって、その後にＲリア・ディスプレイ７で視聴開始を指示すると、既に再生されているところからしか視聴することができず、最初からの経過時間が１８分のところからＲリア・ディスプレイ７で視聴開始指示を出したところまでの部分は視聴できなくなってしまう。
【００４１】
そこで、コントローラ１７は、後から指示された方の視聴停止位置情報が、最初に指示された方の視聴停止位置情報よりも最初からの経過時間が短い場合は、後から視聴開始が指示された時点で、最初からの経過時間が短い方の視聴停止位置情報に相当する位置まで遡って再生するようにＡＶソース機器を制御するようにしても良い。先の例で言うと、Ｒリア・ディスプレイ７の視聴停止位置情報に基づいて、最初からの経過時間が１８分のところまで遡って再生を開始する。このとき、Ｌリア・ディスプレイ６のモニタ部６ｂやスピーカ６ａ、イヤホンジャック６ｄに対して、遡って再生する旨のメッセージを出力しても良い。
【００４２】
このようにしてＲリア・ディスプレイ７の視聴停止位置情報に対応する位置まで遡って再生を開始した後は、複数の出力装置で同じＡＶソースの視聴を再開することがほぼ同時に指示された場合と同様に動作すれば良い。
【００４３】
次に、上記のように構成した本実施形態のリアエンタテイメントシステムによるレジューム再生時の動作について説明する。図３は、本実施形態によるレジューム再生時の動作例を示すフローチャートである。図３において、まずコントローラ１７は、リモコン８または操作部１８の操作によってＡＶソースの視聴を開始することが指示されたか否かを判定する（ステップＳ１）。指示がない場合はステップＳ１の処理を繰り返す。
【００４４】
何れかの出力装置でＡＶソースの視聴を開始することが指示されたと判断したとき、コントローラ１７は、それとほぼ同じタイミングで他の出力装置でもＡＶソースの視聴を開始することが指示されたか否かを判定する（ステップＳ２）。ここで、複数の出力装置でＡＶソースの視聴を開始することがほぼ同時に指示されたと判断したとき、コントローラ１７は、それが同じＡＶソースか否かを更に判定する（ステップＳ３）。
【００４５】
複数の出力装置で視聴開始の指示されたＡＶソースが互いに同じものでなければ、コントローラ１７は、それぞれについてメモリ１９のレジュームテーブル１９ａに記憶されている視聴停止位置情報を選択し（ステップＳ４）、選択した視聴停止位置情報に基づいて各ＡＶソースのレジューム再生を実行する（ステップＳ５）。そして、再生した各ＡＶソース信号をそれぞれの出力装置に出力し、ステップＳ１の処理に戻る。
【００４６】
なお、出力装置に対応する視聴停止位置情報がメモリ１９のレジュームテーブル１９ａに記憶されていない場合は、そのディスクメディアの最初から再生を開始する。また、視聴停止位置情報がメモリ１９のレジュームテーブル１９ａに記憶されていても、その視聴停止位置情報に含まれるディスクＩＤと異なるＩＤのディスクメディアがＡＶソース機器に挿填されている場合にも、そのディスクメディアの最初から再生を開始する。
【００４７】
一方、複数の出力装置で視聴開始の指示されたソースが互いに同じものであれば、コントローラ１７は、それら複数の出力装置に対応する複数の視聴停止位置情報のうち、最初からの経過時間が最も短い視聴停止位置情報を選択し（ステップＳ６）、選択した視聴停止位置情報に基づいてＡＶソースのレジューム再生を実行する（ステップＳ７）。そして、再生した１つのＡＶソース信号をそれぞれの出力装置に出力する。
【００４８】
なお、ここでも、出力装置に対応する視聴停止位置情報がメモリ１９のレジュームテーブル１９ａに記憶されていない場合は、そのディスクメディアの最初から再生を開始する。また、視聴停止位置情報がメモリ１９のレジュームテーブル１９ａに記憶されていても、その視聴停止位置情報に含まれるディスクＩＤと異なるＩＤのディスクメディアがＡＶソース機器に挿填されている場合にも、そのディスクメディアの最初から再生を開始する。
【００４９】
レジューム再生を実行した後、コントローラ１７は、レジューム再生の際に選択しなかった視聴停止位置情報に基づく位置までＡＶソースが再生されたかどうかを判定する（ステップＳ８）。そして、その位置まで再生が進んできたと判断したときは、当該選択しなかった視聴停止位置情報に対応する他の出力装置において同じＡＶソースが視聴されているか否かを更に判定する（ステップＳ９）。
【００５０】
ここで、他の出力装置において同じＡＶソースが視聴されていなかった場合（最初は同じＡＶソースが選択されていたが、ステップＳ７のレジューム再生後に他のＡＶソースに切り替えて視聴が行われていた場合）には、コントローラ１７は、当該他の出力装置に対応する視聴停止位置情報に基づく位置までＡＶソースが再生されたことを報知する（ステップＳ１０）。この報知を受けて、他の出力装置を使用しているユーザは、操作部１８またはリモコン８を操作して、元のＡＶソースに切り替えて視聴することが可能である。なお、先にも述べたように、ステップＳ１０で報知を行う代わりに、元のＡＶソースに自動的に切り替えるようにしても良い。
【００５１】
なお、コントローラ１７が報知の処理を行った後は、ステップＳ１の処理に戻る。また、他の出力装置において同じＡＶソースが視聴されていた場合には、ステップＳ１０の報知処理は行わずに、ステップＳ１の処理に戻る。
【００５２】
上記ステップＳ２において、複数の出力装置でＡＶソースの視聴を開始することがほぼ同時に指示されていないと判断したとき、コントローラ１７は、ステップＳ１で視聴開始が指示された出力装置に関してメモリ１９のレジュームテーブル１９ａに記憶されている視聴停止位置情報を選択し（ステップＳ１１）、その選択した視聴停止位置情報に基づいてＡＶソースのレジューム再生を実行する（ステップＳ１２）。そして、再生したＡＶソース信号を該当する出力装置に出力する。
【００５３】
なお、ここでも、出力装置に対応する視聴停止位置情報がメモリ１９のレジュームテーブル１９ａに記憶されていない場合は、そのディスクメディアの最初から再生を開始する。また、視聴停止位置情報がメモリ１９のレジュームテーブル１９ａに記憶されていても、その視聴停止位置情報に含まれるディスクＩＤと異なるＩＤのディスクメディアがＡＶソース機器に挿填されている場合にも、そのディスクメディアの最初から再生を開始する。
【００５４】
レジューム再生を実行した後、コントローラ１７は、リモコン８または操作部１８の操作によってＡＶソースの視聴を開始することが指示されたか否かを再び判定する（ステップＳ１３）。指示がない場合はステップＳ１３の処理を繰り返す。一方、何れかの出力装置でＡＶソースの視聴を開始することが指示されたと判断したとき、コントローラ１７は、そのＡＶソースが、既にレジューム再生中のＡＶソースと同じものか否かを更に判定する（ステップＳ１４）。
【００５５】
このようにして時間差を持って複数の出力装置で視聴開始の指示されたＡＶソースが互いに同じものでなければ、コントローラ１７は、後から視聴の指示された出力装置に関してメモリ１９のレジュームテーブル１９ａに記憶されている視聴停止位置情報を選択し（ステップＳ１５）、その選択した視聴停止位置情報に基づいてＡＶソースのレジューム再生を実行する（ステップＳ１６）。そして、再生したＡＶソース信号を該当する出力装置に出力する。その後は、ステップＳ１の処理に戻る。
【００５６】
なお、ここでも、出力装置に対応する視聴停止位置情報がメモリ１９のレジュームテーブル１９ａに記憶されていない場合は、そのディスクメディアの最初から再生を開始する。また、視聴停止位置情報がメモリ１９のレジュームテーブル１９ａに記憶されていても、その視聴停止位置情報に含まれるディスクＩＤと異なるＩＤのディスクメディアがＡＶソース機器に挿填されている場合にも、そのディスクメディアの最初から再生を開始する。
【００５７】
一方、時間差を持って複数の出力装置で視聴開始の指示されたソースが互いに同じものであれば、コントローラ１７は、ステップＳ１３で後から指示された方の視聴停止位置情報が、ステップＳ１で最初に指示された方の視聴停止位置情報よりも最初からの経過時間が短いかどうかを判定する（ステップＳ１８）。短い場合は、その経過時間が短い方の視聴停止位置情報を改めて選択し（ステップＳ１８）、その選択した視聴停止位置情報に基づいてＡＶソースのレジューム再生を実行する（ステップＳ１９）。そして、再生したＡＶソース信号を各出力装置に出力する。その後は、ステップＳ８の処理に戻る。
【００５８】
なお、ステップＳ１３で後から指示された方の視聴停止位置情報が、ステップＳ１で最初に指示された方の視聴停止位置情報よりも最初からの経過時間が長い場合は、ステップＳ１８およびステップＳ１９の処理は行わずに、ステップＳ８の処理に戻る。また、後から視聴の指示された出力装置に対応する視聴停止位置情報がメモリ１９のレジュームテーブル１９ａに記憶されていない場合や、視聴停止位置情報がメモリ１９のレジュームテーブル１９ａに記憶されていても、その視聴停止位置情報に含まれるディスクＩＤと異なるＩＤのディスクメディアがＡＶソース機器に挿填されている場合にも、ステップＳ１８およびステップＳ１９の処理は行わずに、ステップＳ８の処理に戻る。
【００５９】
以上詳しく説明したように、本実施形態では、複数の出力装置で同じＡＶソースの視聴を再開することが指示されたときに、コントローラ１７がどの出力装置の視聴停止位置情報に基づいてＡＶソースの再生を開始するかの調停を行い、同じＡＶソースの視聴を再開することが指示された複数の出力装置に対応する複数の視聴停止位置情報の中から何れか一の視聴停止位置情報を選択し、選択した視聴停止位置情報に基づいてＡＶソースの再生を開始するようにしている。これにより、複数の出力装置で同じＡＶソースの視聴を再開することが指示されたときでも、それぞれの前回視聴停止位置の中から何れかを選択して適切にレジューム再生することができる。
【００６０】
また、本実施形態では、選択されなかった視聴停止位置情報に基づく位置まで同じＡＶソースが再生されたときに、選択されなかった視聴停止位置情報に対応する出力装置において同じＡＶソースが視聴されていなかった場合には、選択されなかった視聴停止位置情報に基づく位置まで再生されたことを報知したり、選択されなかった視聴停止位置情報に対応する出力装置に同じＡＶソースを出力するように制御したりするようにしている。これにより、同じＡＶソースの視聴を再開することが指示された複数の出力装置における前回視聴停止位置がそれぞれ異なっている場合でも、どの出力装置のユーザも自分に合った前回視聴停止位置から視聴を再開することができる。
【００６１】
なお、上記実施形態では、ディスクメディアの例としてＣＤおよびＤＶＤを挙げて示したが、ＭＤ（Mini Disc）など他のディスクメディアであっても良い。
また、上記実施形態では、ＡＶソース機器が４つ、出力装置が３つの例について説明したが、この数は単なる例に過ぎない。
【００６２】
また、上記実施形態では、車載用のリアエンタテイメントシステムを例に挙げて説明したが、本発明はこれに限定されない。最近では、複数の家電をデジタルネットワークでつなぐホームネットワークの開発が進められてきている。このホームネットワークでも、１以上のＡＶソース機器と複数の出力装置とがデジタルネットワークを介して接続され、複数の出力装置で任意のＡＶソースの視聴を行うことができるものであれば、本発明を適用することが可能である。
【００６３】
また、上記実施形態では、コントローラ１７が行う調停の例として、最初からの経過時間が最も短い視聴停止位置情報を優先的に選択する例について説明したが、本発明はこれに限定されない。例えば、複数の出力装置に対してあらかじめ優先順位を設定しておき、優先順位がより高いものに対応する視聴停止位置情報を優先的に選択するようにしても良い。
【００６４】
また、上記実施形態では、視聴停止位置情報が選択されなかった出力装置では他のＡＶソースに切り替えて視聴することもあり、その後、自分の視聴停止位置情報に基づく位置まで元のＡＶソースの再生が進んできたときに、元のＡＶソースに切り替え戻して視聴することが可能であると説明した。この場合、元のＡＶソースに切り替え戻す際に、それまで視聴していた他のＡＶソースに関してもメモリ１９に視聴停止位置情報を記憶しても良い。このようにすれば、元のＡＶソースから再び他のＡＶソースに切り替えて視聴する際にも、レジューム再生を実行することができる。
【００６５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００６６】
本発明は、１以上のＡＶソース機器と複数の出力装置とがデジタルネットワークを介して接続され、複数の出力装置で任意のＡＶソースの視聴を行うことができるように成されたデータ再生システムに有用である。
【図面の簡単な説明】
【００６７】
【図１】本実施形態によるデジタルネットワークを用いたデータ再生システムの要部構成例を示す図である。
【図２】本実施形態によるレジュームテーブルの構成例を示す図である。
【図３】本実施形態によるレジューム再生時の動作例を示すフローチャートである。
【符号の説明】
【００６８】
１  第１のＣＤプレーヤ
２  第２のＣＤプレーヤ
３  第１のＤＶＤプレーヤ
４  第２のＤＶＤプレーヤ
５  フロントスピーカ
６  Ｌリア・ディスプレイ
６ａ  Ｌリア・ディスプレイのスピーカ
６ｂ  Ｌリア・ディスプレイのモニタ部
６ｃ  Ｌリア・ディスプレイの赤外線受光部
６ｄ  Ｌリア・ディスプレイのイヤホンジャック
７  Ｒリア・ディスプレイ
７ａ  Ｒリア・ディスプレイのスピーカ
７ｂ  Ｒリア・ディスプレイのモニタ部
７ｃ  Ｒリア・ディスプレイの赤外線受光部
７ｄ  Ｒリア・ディスプレイのイヤホンジャック
８  リモコン
１０  センターユニット
１１  フロントスピーカ用セレクタ
１２  Ｌリア・ディスプレイ用セレクタ
１３  Ｒリア・ディスプレイ用セレクタ
１４  フロントスピーカ用信号処理部
１５  Ｌリア・ディスプレイ用信号処理部
１６  Ｒリア・ディスプレイ用信号処理部
１７  コントローラ
１８  操作部
１９  メモリ
１９ａ  レジュームテーブル
【図１】
2006109329.tif 000003
【図２】
2006109329.tif 000004
【図３】
2006109329.tif 000005